(57)【要約】【課題】誤操作する可能性を極力低減し、簡易発信機能の使い勝手と信頼性を向上することができる携帯通信端末を提供することを目的とする。【解決手段】複数の指紋認証部と、複数の指紋パターンを登録する指紋記憶部と、複数の電話番号を記憶する電話番号記憶部と、制御部とを備え、電話番号記憶部は複数の指紋認証部と対応づけられた電話番号を記憶し、制御部は、指紋認証部において検知した指紋パターンが指紋記憶部に登録された指紋パターンと一致した場合に、指紋パターンが入力された指紋認証部に対応づけられた電話番号に対して発信することを特徴とする。【選択図】図１
2008245100.tif 000002
【特許請求の範囲】
【請求項１】
複数の指紋認証部と、
複数の指紋パターンを登録する指紋記憶部と、
複数の電話番号を記憶する電話番号記憶部と、
制御部とを備え、
前記電話番号記憶部は前記複数の指紋認証部と対応づけられた電話番号を記憶し、
前記制御部は、前記指紋認証部において検知した指紋パターンが前記指紋記憶部に登録された指紋パターンと一致した場合に、指紋パターンが入力された前記指紋認証部に対応づけられた電話番号に対して発信することを特徴とする携帯通信端末。
【請求項２】
前記電話番号記憶部は前記複数の指紋認証部の組合せと対応づけられた電話番号を記憶し、
前記制御部は、複数の前記指紋認証部において同時にまたは所定時間内に登録された指紋パターンを検知した場合に、その指紋認証部の組合せに対応づけられた電話番号に発信することを特徴とする請求項１記載の携帯通信端末。
【請求項３】
前記電話番号記憶部は前記複数の指紋認証部と対応づけられた電話番号のセットを複数記憶し、
当該携帯通信端末は、さらに前記電話番号のセットを切り替えるシフトキーを備えたことを特徴とする請求項１記載の携帯通信端末。
【発明の詳細な説明】
【技術分野】
【０００１】
本発明は、指紋認証部を備えた携帯通信端末に関するものである。
【背景技術】
【０００２】
近年、ＰＨＳ(Personal Handy phone System)や携帯電話などの無線端末が急速に普及し、場所や時間を問わず通話や情報入手が可能となった。また、その小型化、軽量化により、ユーザが常に無線端末を携帯するようになり、所在不明な相手であっても連絡がとれる可能性が高くなった。
【０００３】
特に携帯電話やＰＨＳは発展および普及がめざましく、筐体の構成についても様々な機構が提供されている。従前は可動部分のないストレート型が主流であったが、約中央部で２分割された折りたたみ型や、厚み方向に２分割された筐体が面方向に展開するスライド型などがある。折り畳み型やスライド型は表示部に大きな面積を取ることができる点で好まれているが、筐体が大型化しやすく、また大仰感がある。このため最近では、小型でシンプルなストレート型への回帰も始まっている。
【０００４】
一方、周辺技術の高度化、小型化も進行しており、そのひとつとして指紋認証装置が携帯通信端末に搭載可能となってきた。よく知られているように指紋は個人ごとに異なるため、様々な利用方法が提案されている。
【０００５】
例えば特許文献１（特開平０５−０９５３２９）には、指紋認証によって特定の使用者を識別したときに送受信部を動作状態にする携帯電話装置が提案されている（いわゆるセキュリティロック）。また特許文献２（特開平１０−０５１３４９）には、複数の利用者を指紋認証によって識別して、各々の利用者に応じた設定で使用できる携帯用通信機が提案されている（利用者の切り替え）。また特許文献３（特開平１１−３４５２６４）には、クレジットカードによる代金決済の際に、移動体通信端末装置に搭載された指紋認証装置によって本人確認を行う構成が提案されている（代金決済）。また特許文献４（特開２００１−３０９４１４）には、指紋情報に関連づけて登録された電話番号にダイヤルするボタン電話装置が提案されている（簡易発信機能）。
【特許文献１】特開平０５−０９５３２９
【特許文献２】特開平１０−０５１３４９
【特許文献３】特開平１１−３４５２６４
【特許文献４】特開２００１−３０９４１４
【発明の開示】
【発明が解決しようとする課題】
【０００６】
上記のようなストレート型の筐体は取り出してすぐに操作でき、また表示部もすぐに視認できるという利点を有している。しかしその反面、鞄やポケットに入れているときに、意図せずキー操作がされてしまう場合がある。特に、携帯通信端末において、１動作の操作により電話番号の全桁と発呼指令を入力する、いわゆる簡易発信機能がある。この簡易発信機能が割り当てられたキーが鞄などの中で押されてしまうと、発信を行ってしまうという問題がある。
【０００７】
そのため機構的なスイッチまたはメニュー操作によるソフトウェア的な切り替えによってキー操作を受け付けなくして誤入力を防止する、いわゆるキーロック機能が備えられている場合が多い。しかしキーロック機能を作動させると、必然的にこれを解除してから操作しなくてはならなくなる。このため、とっさの場合に、例えば火事や事故を発見して通報しようとした場合などに、キーロックしてあることを忘れ、発信できないと勘違いしてしまうおそれもある。
【０００８】
一方、特許文献４に示された構成は指に対応させて電話番号を登録しているが、指紋認証装置の認証精度は指の状態に大きく影響され、濡れていたり、怪我をしていたりした場合には、認識精度が著しく低下する。そのため、場合によっては緊急時に発信できなくなってしまうというおそれがある。
【０００９】
さらに指に対応させて電話番号を登録した場合、どの指にどの電話番号を割り当てているかを忘れてしまいがちである。特に、頻繁にかける相手であれば覚えているとしても、緊急時においてどの指を用いて発信すべきか、緊急時であればなおさら思い出しにくく、困惑してしまう可能性が高いという問題がある。
【００１０】
そこで本発明は、誤操作する可能性を極力低減し、簡易発信機能の使い勝手と信頼性を向上することができる携帯通信端末を提供することを目的としている。
【課題を解決するための手段】
【００１１】
上記課題を解決するために、本発明にかかる携帯通信端末の代表的な構成は、複数の指紋認証部と、複数の指紋パターンを登録する指紋記憶部と、複数の電話番号を記憶する電話番号記憶部と、制御部とを備え、電話番号記憶部は複数の指紋認証部と対応づけられた電話番号を記憶し、制御部は、指紋認証部において検知した指紋パターンが指紋記憶部に登録された指紋パターンと一致した場合に、指紋パターンが入力された指紋認証部に対応づけられた電話番号に対して発信することを特徴とする。
【００１２】
上記のように、携帯通信端末において指紋認証部を用いて簡易発信機能を実現することにより、指紋認証部は鞄やポケットの中で誤動作することがないから、キーロック機能を作動させているときであっても簡易発信機能を有効にしておくことができる。したがって緊急時であってもすぐに簡易発信機能を用いることができる。
【００１３】
ここで電話番号記憶部は指紋認証部と対応づけられた電話番号を記憶している。すなわち、簡易発信機能として設けられた指紋認証部の数だけの電話番号を登録することができる。この場合において各指紋認証部には複数の指紋パターンを登録することができるが、ある指紋認証部においてどの指を検知させた場合であっても同じ電話番号に発信される動作をする。これにより、指に怪我などをしていても他の指によって簡易発信機能を確実に利用することができ、使い勝手と信頼性を向上させることができる。
【００１４】
また電話番号記憶部は複数の指紋認証部の組合せと対応づけられた電話番号を記憶し、制御部は、複数の指紋認証部において同時にまたは所定時間内に登録された指紋パターンを検知した場合に、その指紋認証部の組合せに対応づけられた電話番号に発信することでもよい。
【００１５】
すなわち、複数の指紋認証部の組合せに対して電話番号を対応づけることにより、指紋認証部の数よりも多くの電話番号を呼び出すことができる。これにより簡易発信機能としての使い勝手をさらに向上させることができる。
【００１６】
また電話番号記憶部は複数の指紋認証部と対応づけられた電話番号のセットを複数記憶し、当該携帯通信端末は、さらに電話番号のセットを切り替えるシフトキーを備えていてもよい。
【００１７】
すなわち、複数の指紋認証部に加えてキー入力を併用することにより、指紋認証部の数の数倍の電話番号を関連づけることができる。またこのとき、指紋認証部に対応づけられた電話番号を表示部に表示することが好ましい。
【発明の効果】
【００１８】
本発明によれば、誤操作する可能性を極力低減し、簡易発信機能の使い勝手と信頼性を著しく向上させた携帯通信端末を提供することができる。
【発明を実施するための最良の形態】
【００１９】
［第１実施形態］
本発明にかかる携帯通信端末の第１実施形態について説明する。図１は第１実施形態にかかる携帯通信端末を説明する図、図２は携帯通信端末の構成を説明するブロック図、図３は指紋と指紋認証部と電話番号の対応付けを説明する図である。なお、以下の実施例に示す寸法、材料、その他具体的な数値などは、発明の理解を容易とするための例示に過ぎず、特に断る場合を除き、本発明を限定するものではない。
【００２０】
図１に示す携帯通信端末１０は、折りたたみ型のように可動式でない、いわゆるストレート型である。携帯通信端末１０は音声入力部１２（マイク）、音声出力部１４（スピーカー）、ダイヤルキーなどを含む操作部１６、電話番号や動作状態を表示する表示部１８、および指紋認証部２０を備えている。本実施形態においては３つの指紋認証部２０が設けられており、操作部１６に併設して配列されている。また携帯通信端末１０には、キーロック機能をＯＮ／ＯＦＦするためのロックキー３２、および後述するシフトキー３４が設けられている。
【００２１】
図２に示すように、携帯通信端末１０の内部には、その動作を制御する制御部２２、サーバと通信する通信部２４、音声入力部１２または音声出力部１４の制御を行う音声処理部２６を備えている。また携帯通信端末１０は、複数の指紋パターンを登録する指紋記憶部２８と、複数の電話番号を記憶する電話番号記憶部３０とを備えている。
【００２２】
使用者は通常の使用において、操作部１６を操作してダイヤルし、音声入力部１２、音声出力部１４および通信部２４を用いて音声通話を行うことができる。また操作部１６を操作し、電話番号記憶部３０にあらかじめ登録されている電話番号を呼び出して発信することができる。
【００２３】
また使用者は、携帯通信端末１０を鞄やポケットに入れて持ち歩く際には、誤動作を防止するために、ロックキー３２を操作してキーロック機能をＯＮにし、操作部１６からの入力を無効化することができる。
【００２４】
指紋認証部２０は、使用者が指でなぞることによりその指紋パターンを検知する。制御部２２は検知された指紋パターンと指紋記憶部２８にあらかじめ登録された指紋パターンとが一致するか否かを比較する。一方、電話番号記憶部３０には、指紋認証部２０と対応づけて電話番号が記憶されている。
【００２５】
そして制御部２２は、指紋認証部２０において検知した指紋パターンが指紋記憶部２８に登録された指紋パターンと一致した場合に、指紋パターンが入力された指紋認証部２０に対応づけられた電話番号に対して発信する。すなわち指紋認証部２０は、あたかも簡易発信機能（いわゆるワンタッチダイヤル）のボタンのように機能する。なお簡易発信機能とは、１動作の操作により電話番号の全桁と発呼指令を入力する機能をいう。
【００２６】
上記構成の簡易発信機能は、指紋認証部２０によって指紋を検知させない限り、発信が行われることがない。したがって鞄やポケットの中で荷物などによって指紋認証部２０が押されたとしても反応することはなく、誤動作するおそれがない。このことから、キーロック機能を作動させているときであっても、簡易発信機能を有効にしておくことができる。したがって緊急時であっても指紋認証部２０による簡易発信機能を用いて、すぐに発信することができる。
【００２７】
ここで、本実施形態では３つの指紋認証部２０を備えているため、電話番号記憶部３０はこれと対応づけられた３つの電話番号３０ａ〜ｃを記憶している。すなわち、簡易発信機能として設けられた指紋認証部２０の数だけの電話番号を登録することができる。この場合において各指紋認証部２０には複数の指紋パターンを登録することができるが、ある指紋認証部２０においてどの指を検知させた場合であっても同じ電話番号に発信される動作をする。
【００２８】
例えば図３に示すように、あらかじめ全ての指の指紋パターンについて認識させ、指紋記憶部２８に登録しておく。一方、指紋認証部２０ａ〜ｃに対応づけて、電話番号記憶部３０に電話番号３０ａ〜ｃを記憶させておく。そして制御部２２は、いずれかの指によって指紋認証部２０ａ〜ｃのいずれかに指紋を検知させたとき、その指紋認証部２０ａ〜ｃに対応する電話番号３０ａ〜ｃを用いて発信を行う。これにより、指に怪我などをしていても他の指によって簡易発信機能を確実に利用することができ、使い勝手と信頼性を向上させることができる。
【００２９】
電話番号３０ａ〜ｃとしては、例えば自宅、職場、家族の携帯通信端末といったように、頻繁に使用するものを登録することができる。また、警察（１１０）、消防（１１９）、海上保安庁（１１８）といった緊急発信用の特別な番号を登録することでもよい。特に緊急発信用の特別番号は、キーロック機能を作動させているときにも簡易発信機能を使用できることにより、いつ何時でも発信することが可能となるため、緊急時に使用者の気が動転していた場合でも確実に発信することができるという特別の効果を奏する。
【００３０】
すなわち本実施形態の構成によれば、指紋認証部を用いた簡易発信機能の使い勝手を著しく向上させることができる。また誤動作の防止と、簡易発信の信頼性の両立を図ることができる。
【００３１】
なお上記実施形態において指紋認証部２０は３つ設けた例を示しているが、本発明はこれに限定するものではなく、２つまたは４つ以上設けてもよい。
【００３２】
また上記実施形態において、キーロック時にも指紋認証部２０のいずれにおいて指紋パターンを検知させた場合であっても、簡易発信機能により発信するものと説明した。しかし指紋は個人ごとに異なるという特性を有していることから、キーロックを解除するための個人認証に用いてもよい。例えばキーロック機能を有効にしているとき、３つ備えた指紋認証部２０のうち、中央の１つはキーロックを解除するための認証に用い、左右の２つは簡易発信機能を動作させるよう構成してもよい。
【００３３】
［第２実施形態］
本発明にかかる携帯通信端末の第２実施形態について説明する。上記実施形態と説明の重複する部分については同一の符号を付して説明を省略する。
【００３４】
上記簡易発信機能の対象となる電話番号は、指紋認証部２０の数と同数（第１実施形態では３つ）であった。しかし本実施形態では簡易発信機能に割り当て可能な電話番号の数は、指紋認証部２０の数に限定されることなく、さらに増やすことができる。
【００３５】
図４は指紋認証部の組合せに対して電話番号を対応づける構成を説明する図である。ここで指紋認証部の組合せとは、複数の指紋認証部において同時に、または所定時間内（例えば１秒以内）に登録された指紋パターンを検知することをいう。
【００３６】
図４に示すように、指紋認証部２０ａ〜ｃをそれぞれ単独で検知した場合には、上記実施形態で説明したように、これらに対応づけられた電話番号３０ａ〜ｃを用いて発信を行う。さらに複数の指紋認証部２０ａ〜ｃにおいて登録された指紋パターンを検知した場合、その組合せに対応づけられた電話番号３０ｄ〜ｇを用いて発信を行うことができる。
【００３７】
図４に示す例においては順序不同であるが、指紋認証部２０ａ〜ｃのうち指紋パターンを検知した順序を区別することにより、さらに多くの電話番号を割り当てることができる（不図示）。
【００３８】
上記構成によれば、指紋認証部２０ａ〜ｃの数よりも多くの電話番号３０ａ〜ｇを呼び出すことができる。これにより簡易発信機能としての使い勝手をさらに向上させることができる。
【００３９】
［第３実施形態］
本発明にかかる携帯通信端末の第３実施形態について説明する。上記実施形態と説明の重複する部分については同一の符号を付して説明を省略する。
【００４０】
上記実施形態において、指紋認証部２０または指紋認証部２０の組合せと電話番号とは、固定して対応していた。しかし本実施形態では、シフトキーによって切り替えることにより、指紋認証部２０に割り当てられた電話番号を変更することができる。
【００４１】
図５はシフトキーを備えた携帯通信端末を説明する図、図６は指紋認証部と対応づけられた電話番号のセットを説明する図、図７は電話番号のセットの切り替えと表示部の動作を説明する図である。
【００４２】
図５に示すように、携帯通信端末１０には、電話番号のセットを切り替えるためのシフトキー３４が備えられている。なお図５ではシフトキー３４として独立したキーを備えているが、他のキー、例えば操作部１６のダイヤルキーを用いてシフトキーとして動作させることでもよい。
【００４３】
図６に示すように、３つの指紋認証部２０ａ〜ｃには、第１セットとして電話番号３０ａ〜ｃ、第２セットとして電話番号３０ｄ〜ｅ、第３セットとして電話番号３０ｆ〜ｇが対応づけられて記憶されている。１つのセットにおいて登録可能な電話番号の数は、指紋認証部２０の数に等しくなっている。
【００４４】
そしてシフトキー３４を押下するごとに、電話番号のセットを切り替える。そして指紋認証部２０ａ〜ｃにおいて登録された指紋パターンを検知した場合には、現在有効になっているセットにおいて、その指紋認証部２０ａ〜ｃに対応づけられた電話番号に発信する。すなわち、複数の指紋認証部２０に加えてキー入力を併用することにより、指紋認証部２０の数（３つ）の数倍（６つ、９つなど）の電話番号を簡易発信機能によって呼び出すことができる。
【００４５】
また図７に示す発信先表示１８ａのように、シフトキー３４を押下して電話番号のセットを切り替えるたびに、現在有効になっている電話番号のセットを表示部１８に表示することでもよい。これにより、セットの数を多くした場合であっても、簡易発信機能を使用した場合にいずれの電話番号に対して発信されるかを事前にかつ容易に確認することができ、動作の確実性を向上させることができる。
【００４６】
なお上記第３実施形態では指紋認証部２０に対して電話番号のセットを設けるよう説明したため、各セットにおいて登録可能な電話番号の数は指紋認証部２０の数と同数であった。しかしさらに、複数の指紋認証部２０の組合せに対しても電話番号を対応づけ、これもセットとして切り替えるように構成すれば、飛躍的に登録できる電話番号の数を増加させることができる（不図示）。この場合においても、現在有効になっている電話番号のセットを表示部１８に表示することにより、迷うことなく簡易発信機能を使用することができる。
【００４７】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４８】
例えば、上述した実施形態における指紋認証部２０は、使用者が指でなぞることによりその指紋パターンを認識する構成を述べたが、かかる場合に限られず、使用者が面に指を押しつけて指紋パターンを認識する等、様々な認証方法を適用することができる。
【００４９】
また、上述した実施形態では、複数の指紋認証部において同時に、または所定時間内（例えば１秒以内）に登録された指紋パターンを検知する構成を述べたが、かかる場合に限られず、例えば一秒以内に複数の指紋認証部を１つの指で連続して押下するパターン等、様々なパターンを適用することが可能である。
【産業上の利用可能性】
【００５０】
本発明は、指紋認証部を備えた携帯通信端末として利用することができる。
【図面の簡単な説明】
【００５１】
【図１】第１実施形態にかかる携帯通信端末を説明する図である。
【図２】携帯通信端末の構成を説明するブロック図である。
【図３】指紋と指紋認証部と電話番号の対応付けを説明する図である。
【図４】指紋認証部の組合せに対して電話番号を対応づける構成を説明する図である。
【図５】シフトキーを備えた携帯通信端末を説明する図である。
【図６】指紋認証部と対応づけられた電話番号のセットを説明する図である。
【図７】電話番号のセットの切り替えと表示部の動作を説明する図である。
【符号の説明】
【００５２】
１０   …携帯通信端末
１２   …音声入力部
１４   …音声出力部
１６   …操作部
１８   …表示部
１８ａ  …発信先表示
２０   …指紋認証部
２２   …制御部
２４   …通信部
２６   …音声処理部
２８   …指紋記憶部
３０   …電話番号記憶部
３０ａ〜ｇ  …電話番号
３２   …ロックキー
３４   …シフトキー
【図１】
2008245100.tif 000003
【図２】
2008245100.tif 000004
【図３】
2008245100.tif 000005
【図４】
2008245100.tif 000006
【図５】
2008245100.tif 000007
【図６】
2008245100.tif 000008
【図７】
2008245100.tif 000009